(57)【要約】【課題】ヒータ線によって加熱されることによりヒータ線の通電を電気的に遮断するように作動する遮断装置を備えた便座用の加熱装置および便座装置において、便座装置に異常がない場合における遮断装置の作動を抑制すること。【解決手段】便座用の加熱装置１は、シート状に設けられ、一方面１０ａが中空に形成された便座２の内側面に配置されたシート部１０と、線状に設けられるとともに、シート部１０の他方面１０ｂに配置され、通電されることにより発熱するヒータ線２０と、棒状に形成されるとともに、ヒータ線２０と電気的に直列に接続され、ヒータ線２０によって加熱されることにより、ヒータ線２０の通電を電気的に遮断可能に設けられた遮断装置３０と、を備え、シート部１０は、シート部１０の周縁の一部に設けられ、遮断装置３０の外周面に巻き付けられた巻付部１１を備え、巻付部１１には、ヒータ線２０が交差しないように配置されている。【選択図】  図１
2019088524.tif 000002
【特許請求の範囲】
【請求項１】
使用者に使用される場合に前記使用者が着座する着座面を外表面に有し、中空に形成された便座に適用され、
前記便座の内側面のうち前記着座面に対して裏側の裏側面に配置され、前記着座面を加熱する便座用の加熱装置であって、
シート状に設けられ、一方面が前記裏側面を覆うように配置されたシート部と、
線状に設けられるとともに、前記シート部の他方面に配置され、通電されることにより発熱するヒータ線と、
棒状に形成されるとともに、前記ヒータ線と電気的に直列に接続され、前記ヒータ線によって加熱されることにより、前記ヒータ線の通電を電気的に遮断可能に設けられた遮断装置と、を備え、
前記シート部は、
前記シート部の周縁の一部に設けられ、前記遮断装置の外周面に巻き付けられた巻付部を備え、
前記巻付部には、前記ヒータ線が交差しないように配置されている便座用の加熱装置。
【請求項２】
前記ヒータ線は、前記巻付部において、前記遮断装置の軸線の方向の第一端側から前記遮断装置の軸線の方向の第二端側に向かうように、かつ、前記遮断装置の軸線の方向に対して傾斜するように配置されている請求項１に記載の便座用の加熱装置。
【請求項３】
前記ヒータ線は、前記巻付部において、
前記遮断装置の第一端側の第一位置から、前記第一位置と前記遮断装置の第二端側の第二位置との間の第三位置に向かうにしたがって、前記遮断装置の周方向の一方側に向かうように配置され、かつ、
前記第三位置から前記第二位置に向かうにしたがって、前記遮断装置の周方向の他方側に向かうように配置されている請求項２に記載の便座用の加熱装置。
【請求項４】
前記ヒータ線は、前記巻付部において、波状に配置されている請求項２に記載の便座用の加熱装置。
【請求項５】
前記巻付部は、前記ヒータ線から離れた部位に空間部が設けられている請求項１乃至請求項４の何れか一項に記載の便座用の加熱装置。
【請求項６】
請求項１乃至請求項５の何れか一項に記載の便座用の加熱装置を備えている便座装置。
【発明の詳細な説明】
【技術分野】
【０００１】
本発明は、便座用の加熱装置および便座装置に関する。
【背景技術】
【０００２】
便座用の加熱装置の一形式として、特許文献１に示されているものが知られている。特許文献１の便座用の加熱装置（ヒータユニット）は、便座の内部に配置され、コード状の発熱体（ヒータ線）が配置された発熱体ユニット、および、便座の異常温度上昇を検知してヒータ線への通電を遮断するように作動する温度過昇防止装置（遮断装置）を備えている。遮断装置は、発熱体ユニットの端部が折り返されることにより設けられた折り返し部の内側に配置されている。
【先行技術文献】
【特許文献】
【０００３】
【特許文献１】特許第６０９０７０４号公報
【発明の概要】
【発明が解決しようとする課題】
【０００４】
しかしながら、上述した特許文献１の発熱体ユニットの折り返し部において、折り返し部に配置されたヒータ線同士が接触することが考えられる。ヒータ線同士が接触した状態においてヒータ線が通電された場合、その接触した部位が比較的高温になるため、便座装置に異常（例えば便座の温度を検出する温度センサの異常）がないにも関わらず、遮断装置が作動することが考えられる。
【０００５】
そこで、本発明は、上述した課題を解消するためになされたもので、ヒータ線によって加熱されることによりヒータ線の通電を電気的に遮断するように作動する遮断装置を備えた便座用の加熱装置および便座装置において、便座装置に異常がない場合における遮断装置の作動を抑制することを目的とする。
【課題を解決するための手段】
【０００６】
上記の課題を解決するため、請求項１に係る便座用の加熱装置は、使用者に使用される場合に使用者が着座する着座面を外表面に有し、中空に形成された便座に適用され、便座の内側面のうち着座面に対して裏側の裏側面に配置され、着座面を加熱する便座用の加熱装置であって、シート状に設けられ、一方面が裏側面を覆うように配置されたシート部と、線状に設けられるとともに、シート部の他方面に配置され、通電されることにより発熱するヒータ線と、棒状に形成されるとともに、ヒータ線と電気的に直列に接続され、ヒータ線によって加熱されることにより、ヒータ線の通電を電気的に遮断可能に設けられた遮断装置と、を備え、シート部は、シート部の周縁の一部に設けられ、遮断装置の外周面に巻き付けられた巻付部を備え、巻付部には、ヒータ線が交差しないように配置されている。
【発明の効果】
【０００７】
これによれば、便座用の加熱装置において、遮断装置に巻き付けられるシート部の巻付部に配置されたヒータ線は、交差しないように配置されている。このため、巻付部において、ヒータ線同士が接触しない。これにより、ヒータ線同士が接触することによって巻付部が比較的高温になることが抑制される。したがって、便座装置に異常がない場合における遮断装置の作動を抑制することができる。
【図面の簡単な説明】
【０００８】
【図１】本発明による第一実施形態に係る便座用の加熱装置の平面図である。
【図２】図１に示す加熱装置における巻付部の周辺の部分拡大図であり、巻付部が遮断装置に巻付けられる前の状態を表している。
【図３】図２に示す遮断装置の軸方向断面図である。
【図４】図１に示すIV−IV線に沿った巻付部の断面図である。
【図５】図１に示す加熱装置が適用された便座の平面図である。
【図６】図５に示すVI−VI線に沿った便座の断面図である。
【図７】図１に示す便座用の加熱装置が適用された便座装置を示す斜視図である。
【図８】本発明による第二実施形態に係る便座用の加熱装置における巻付部の部分拡大図であり、巻付部が遮断装置に巻付けられる前の状態を表している。
【図９】本発明による第三実施形態に係る便座用の加熱装置における巻付部の部分拡大図であり、巻付部が遮断装置に巻付けられる前の状態を表している。
【図１０】本発明による第四実施形態に係る便座用の加熱装置における巻付部の部分拡大図であり、巻付部が遮断装置に巻付けられる前の状態を表している。
【図１１】図１０に示す巻付部が遮断装置に巻き付けられた状態における巻付部の断面図である。
【図１２】本発明による第五実施形態に係る便座用の加熱装置における巻付部の部分拡大図であり、巻付部が遮断装置に巻付けられる前の状態を表している。
【図１３】本発明による第六実施形態に係る便座用の加熱装置における巻付部の部分拡大図であり、巻付部が遮断装置に巻付けられる前の状態を表している。
【発明を実施するための形態】
【０００９】
＜第一実施形態＞
以下、本発明による便座用の加熱装置の第一実施形態について図面を用いて説明する。なお、本明細書においては説明の便宜上、図１における上側および下側をそれぞれ便座用の加熱装置１の前方および後方とし、同じく右側および左側をそれぞれ便座用の加熱装置１の左方および右方とし、同じく紙面手前側および紙面奥側を、それぞれ便座用の加熱装置１の下方および上方として説明する。
【００１０】
便座用の加熱装置１（以下、加熱装置１ともいう。）は、後述する便座２に適用され、便座２の着座面Ｓｃを加熱するものである。加熱装置１は、図１に示すように、シート部１０、ヒータ線２０および遮断装置３０を備えている。
【００１１】
シート部１０は、シート状に設けられ、一方面１０ａ（上側面：図４および図６参照）が後述する便座２の裏側面Ｓｕを覆うように配置されたものである。シート部１０は、例えばアルミ箔である。シート部１０は、平面視において、前方が開放されたＵ字状に形成されている。シート部１０は、左右対称に形成されている。
【００１２】
ヒータ線２０は、線状に設けられるとともに、シート部１０の他方面１０ｂ（下側面）に配置され、通電されることにより発熱するものである。ヒータ線２０は、線状（コード状）の発熱体によって構成されたコードヒータである。
【００１３】
ヒータ線２０は、発熱部（図示なし）および絶縁被覆（図示なし）を備えている。発熱部は、例えばガラス繊維からなる線芯（図示なし）に電熱用合金線（図示なし）が螺旋状に巻付けられたものである。絶縁被覆は、絶縁性を有し、発熱部の外周を覆うものである。絶縁被覆は、例えばポリ塩化ビニルによって設けられている。
【００１４】
ヒータ線２０は、シート部１０の他方面１０ｂに蛇行して配置されている。絶縁被覆がシート部１０の他方面１０ｂに溶着されることにより、ヒータ線２０が固定される。図１および図２に示すように、ヒータ線２０の一端は、第一電線Ｌ１を介して後述する制御装置３ｂに電気的に接続されている。ヒータ線２０の他端は、第二電線Ｌ２、遮断装置３０および第三電線Ｌ３を介して制御装置３ｂに電気的に接続されている。ヒータ線２０には、制御装置３ｂに接続された電源部（例えば交流の系統電源：図示なし）から、制御装置３ｂ、各電線Ｌ１，Ｌ２，Ｌ３および遮断装置３０を介して電力が供給されることにより発熱する。
【００１５】
遮断装置３０は、図２および図３に示すように、棒状に形成されるとともに、ヒータ線２０と電気的に直列に接続され、ヒータ線２０によって加熱されることにより、ヒータ線２０の通電を電気的に遮断可能に設けられたものである。遮断装置３０は、ヒータ線２０が常時通電された状態となる異常（以下、通電異常とする。）が発生した場合に、ヒータ線２０の通電を電気的に遮断する（詳細は後述する）。遮断装置３０は、図３に示すように、温度ヒューズ３１および絶縁チューブ３２を含んで構成されている。
【００１６】
温度ヒューズ３１は、非動作時にヒータ線２０の通電を許容し、動作することによりヒータ線２０の通電を電気的に遮断するものである。温度ヒューズ３１は、本実施形態において、可溶合金型の温度ヒューズである。また、温度ヒューズ３１は、アキシャルタイプの温度ヒューズである。温度ヒューズ３１は、第二電線Ｌ２と第三電線Ｌ３との間にて、第二電線Ｌ２および第三電線Ｌ３と電気的に直列となるように接続されている。温度ヒューズ３１は、第一リード線３１ａ、第二リード線３１ｂ、可溶体３１ｃおよび絶縁ケース３１ｄを備えている。
【００１７】
第一リード線３１ａの一端が、ヒータ線２０に電気的に接続された第三電線Ｌ３と、例えば接続端子３３を用いて電気的に接続されている。第一リード線３１ａの他端が、可溶体３１ｃと電気的に接続されている。また、第二リード線３１ｂの一端が、制御装置３ｂに電気的に接続された第二電線Ｌ２と、例えば接続端子３４を用いて電気的に接続されている。第二リード線３１ｂの他端が、可溶体３１ｃと電気的に接続されている。
【００１８】
可溶体３１ｃは、可溶性の合金体である。可溶体３１ｃは、温度ヒューズ３１の非動作時において各リード線３１ａ，３１ｂを互いに電気的に接続する。絶縁ケース３１ｄは、金属材料によって筒状に形成され、内側に可溶体３１ｃを収容する。
【００１９】
ここで、温度ヒューズ３１の動作について説明する。絶縁ケース３１ｄひいては可溶体３１ｃが後述するようにヒータ線２０によって加熱されることにより、可溶体３１ｃの温度が所定温度以上となった場合、可溶体３１ｃが溶融して分断する。これにより、各リード線３１ａ，３１ｂ間が電気的に遮断されるため、ヒータ線２０への通電が遮断される。所定温度は、温度ヒューズ３１が動作する温度に相当する。所定温度の詳細については、後述する。
【００２０】
絶縁チューブ３２は、筒状に設けられ、内側に温度ヒューズ３１および接続端子３３，３４を収容するものである。絶縁チューブ３２は、例えば軟質の塩化ビニルによって形成されている。絶縁チューブ３２の両端に高周波ウェルダ加工が施されることにより、温度ヒューズ３１の防水性が確保されている。これにより、遮断装置３０は、棒状に形成されている。
【００２１】
また、遮断装置３０は、巻付部１１に配置されている。
巻付部１１は、シート部１０の周縁の一部に設けられ、遮断装置３０の外周面に巻き付けられたものである。巻付部１１は、図２に示すように、遮断装置３０に巻き付けられていない状態において、シート部１０の周縁の左端部における前後方向の中央部から、左方に向けて突出する平面視矩形状の舌状に設けられている。
【００２２】
巻付部１１の前後方向の長さは、遮断装置３０の前後方向の長さより長くなるように設けられている。巻付部１１の左右方向の長さは、遮断装置３０の周方向の長さより長くなるように設けられている。遮断装置３０は、軸線３０ａの方向を前後方向と一致するように、巻付部１１の他方面１０ｂに配置されている。
【００２３】
また、巻付部１１には、巻付部１１が遮断装置３０に巻かれた状態（図４参照）において、ヒータ線２０が交差しないように配置されている。ヒータ線２０は、巻付部１１において、遮断装置３０の軸線３０ａの方向の第一端側（前端側）から遮断装置３０の軸線３０ａの方向の第二端側（後端側）に向かうように、かつ、遮断装置３０の軸線３０ａの方向に対して傾斜するように配置されている。
【００２４】
具体的には、ヒータ線２０は、巻付部１１において、遮断装置３０の第一端側の第一位置Ｐ１、第一位置Ｐ１と遮断装置３０の第二端側の第二位置Ｐ２との間の第三位置Ｐ３、および、第二位置Ｐ２、の順に通るように配置されている。本実施形態において、巻付部１１が遮断装置３０に巻き付けられる前の状態において、第一位置Ｐ１が巻付部１１の前方側かつ遮断装置３０の左側に位置し、第二位置Ｐ２が巻付部１１の後方側かつ遮断装置３０の左側に位置し、第三位置Ｐ３が巻付部１１の前後方向おおよそ中央部にて遮断装置３０の右側に位置する。
【００２５】
すなわち、ヒータ線２０は、巻付部１１において、遮断装置３０の第一端側の第一位置Ｐ１から、第一位置Ｐ１と遮断装置３０の第二端側の第二位置Ｐ２との間の第三位置Ｐ３に向かうにしたがって、遮断装置３０の周方向の一方側（本実施形態においては左方）に向かうように配置され、かつ、第三位置Ｐ３から第二位置Ｐ２に向かうにしたがって、遮断装置３０の周方向の他方側（本実施形態においては右方）に向かうように配置されている。
【００２６】
巻付部１１は、図４に示すように、他方面１０ｂが遮断装置３０の外周面に沿うように遮断装置３０に周方向に巻き付けられる。巻付部１１の他方面１０ｂと遮断装置３０との間に接着剤等が塗布されることにより、巻付部１１と遮断装置３０とが接着される。
【００２７】
これにより、ヒータ線２０が遮断装置３０の外周面に接触するとともに、ヒータ線２０が交差しない。具体的には、図２に示すように、遮断装置３０の外周面の一方側（下側）には、ヒータ線２０が太破線にて示すように接触する。また、遮断装置３０の外周面の他方側（上側）には、ヒータ線２０が細破線にて示すように接触する。
【００２８】
便座２は、図５および図６に示すように、使用者に使用される場合に使用者が着座する着座面Ｓｃを外表面に有し、中空に形成されたものである。便座２は、平面視において環状に形成されている（図５参照）。便座２は、肉厚をおよそ一定とする中空状に形成されている（図６参照）。肉厚は、便座２を形成する側壁の厚みである。便座２は、熱可塑性樹脂によって形成されている。
【００２９】
着座面Ｓｃは、便座２の外表面のうち、使用者が上方から着座する部位である。着座面Ｓｃは、便座２の外表面における上側の部位である。着座面Ｓｃは、使用者が上方から着座した場合に使用者の人体が接触可能な範囲に設定されている。着座面Ｓｃは、便座２の上側壁２ａの外側面に相当する。
【００３０】
加熱装置１は、図６に示すように、便座２の内側面のうち着座面Ｓｃに対して裏側の裏側面Ｓｕに配置されている。シート部１０の一方面１０ａ（上側面）が、裏側面Ｓｕに接触し、加熱装置１の一方面１０ａと裏側面Ｓｕとが、例えば接着剤によって固定されている。裏側面Ｓｕは、上側壁２ａの内側面に相当する。加熱装置１は、ヒータ線２０の熱をシート部１０によって拡散させて、便座２の裏側面Ｓｕひいては上側壁２ａを加熱することにより、着座面Ｓｃを加熱する。
【００３１】
また、便座２の内側には、図６に示すように、温度センサ２ｂが配置されている。温度センサ２ｂは、着座面Ｓｃの温度を検出するものである。温度センサ２ｂは、加熱装置１の他方面１０ｂ（下面）に配置されている。温度センサ２ｂは、上側壁２ａの内側面の温度を検出することにより、着座面Ｓｃの温度を間接的に検出する。
【００３２】
次に、上述した加熱装置１および便座２を備える便座装置３について、図７を用いて説明する。便座装置３は、本体部３ａ、制御装置３ｂ、便座２、および、便座２を覆う便蓋３ｃを備えている。本体部３ａは、腰掛式便器４に取り付けられている。便座２および便蓋３ｃは、本体部３ａに回動可能に支持されている。
【００３３】
制御装置３ｂは、本体部３ａに収納され、便座装置３を統括制御するものである。制御装置３ｂは、温度センサ２ｂによって検出された温度を使用して、着座面Ｓｃの温度を目標温度に調整するように、加熱装置１（ヒータ線２０）をオンオフ制御して、ヒータ線２０への通電量を調整する。目標温度は、複数の設定温度のうち、使用者が選択した設定温度に設定される。複数の設定温度は、目標温度を設定するための温度として、予め設定された温度である。使用者は、本体部３ａに設けられたスイッチ（図示なし）によって設定温度を選択する。
【００３４】
次に、通電異常が発生していない場合においてオンオフ制御が実行されたときの便座装置３の動作について説明する。ヒータ線２０がオンオフ制御されることにより、加熱装置１から裏側面Ｓｕに伝達する熱量が調整されて、着座面Ｓｃの温度が目標温度にておよそ一定に推移する。このとき、ヒータ線２０が遮断装置３０に接触しているため、遮断装置３０がヒータ線２０によって加熱される。
【００３５】
この場合、着座面Ｓｃの温度が目標温度となるようにヒータ線２０がオンオフ制御されているため、遮断装置３０の温度についても、およそ一定の温度にて推移する。これに対して、上述した所定温度は、このときの可溶体３１ｃの温度よりも高い温度に設定されている。すなわち、便座装置３に異常が発生していない場合、温度ヒューズ３１は動作しない。
【００３６】
次に、例えば温度センサ２ｂの故障によって通電異常が発生し、ヒータ線２０が常時通電された状態となった場合における便座装置３の動作について説明する。この場合、ヒータ線２０がオンオフされずに連続して通電された状態であるため、着座面Ｓｃの温度が目標温度より高くなるとともに、遮断装置３０の温度も上昇する。
【００３７】
続けてヒータ線２０が連続して通電されて、遮断装置３０の温度がさらに上昇することにより、可溶体３１ｃの温度が所定温度に到達する。このとき、温度ヒューズ３１が作動して、ヒータ線２０の通電が遮断される。これにより、便座装置３の安全性が確保される。なお、温度ヒューズ３１が作動した時における着座面Ｓｃの温度が、使用者の安全性が確保された温度となるように、所定温度およびヒータ線２０の密集の度合いが設定されている。
【００３８】
本第一実施形態によれば、便座用の加熱装置１は、使用者に使用される場合に使用者が着座する着座面Ｓｃを外表面に有し、中空に形成された便座２に適用され、便座２の内側面のうち着座面Ｓｃに対して裏側の裏側面Ｓｕに配置され、着座面Ｓｃを加熱する。便座用の加熱装置１は、シート状に設けられ、一方面１０ａが裏側面Ｓｕを覆うように配置されたシート部１０と、線状に設けられるとともに、シート部１０の他方面１０ｂに配置され、通電されることにより発熱するヒータ線２０と、棒状に形成されるとともに、ヒータ線２０と電気的に直列に接続され、ヒータ線２０によって加熱されることにより、ヒータ線２０の通電を電気的に遮断可能に設けられた遮断装置３０と、を備えている。シート部１０は、シート部１０の周縁の一部に設けられ、遮断装置３０の外周面に巻き付けられた巻付部１１を備えている。巻付部１１には、ヒータ線２０が交差しないように配置されている。
【００３９】
これによれば、便座用の加熱装置１において、遮断装置３０に巻き付けられるシート部１０の巻付部１１に配置されたヒータ線２０は、交差しないように配置されている。このため、巻付部１１において、ヒータ線２０同士が接触しない。これにより、ヒータ線２０同士が接触することによって巻付部１１が比較的高温になることが抑制される。したがって、便座装置３に異常がない場合における遮断装置３０の作動を抑制することができる。
【００４０】
また、ヒータ線２０は、巻付部１１において、遮断装置３０の軸線３０ａの方向の第一端側から遮断装置３０の軸線３０ａの方向の第二端側に向かうように、かつ、遮断装置３０の軸線３０ａの方向に対して傾斜するように配置されている。
【００４１】
これによれば、巻付部１１において、ヒータ線２０同士が確実に接触しない。よって、便座装置３に異常がない場合における遮断装置３０の作動を確実に抑制することができる。
【００４２】
また、ヒータ線２０は、巻付部１１において、遮断装置３０の第一端側の第一位置Ｐ１から、第一位置Ｐ１と遮断装置３０の第二端側の第二位置Ｐ２との間の第三位置Ｐ３に向かうにしたがって、遮断装置３０の周方向の一方側に向かうように配置され、かつ、第三位置Ｐ３から第二位置Ｐ２に向かうにしたがって、遮断装置３０の周方向の他方側に向かうように配置されている。
【００４３】
これによれば、巻付部１１において、ヒータ線２０同士がより確実に接触しない。よって、便座装置３に異常がない場合における遮断装置３０の作動を、より確実に抑制することができる。
【００４４】
また、便座装置３は、上述した便座用の加熱装置１を備えている。
これによれば、便座装置３は、上述した便座用の加熱装置１の効果と同様の効果を有する。
【００４５】
＜第二実施形態＞
次に、本発明による第二実施形態に係る便座用の加熱装置１について、図８を用いて説明する。上述した第一実施形態の巻付部１１に配置されたヒータ線２０は、第一位置Ｐ１、第三位置Ｐ３および第二位置Ｐ２を通るように配置されているが、これに対して、本第二実施形態の巻付部１１１に配置されたヒータ線１２０は、波状に配置されている。具体的には、ヒータ線１２０が、遮断装置３０の軸線３０ａの方向に対して垂直に振動し、かつ、複数の波を有する正弦曲線を形成するように、巻付部１１１に配置されている。
【００４６】
これにより、巻付部１１１が遮断装置３０の外周面に沿うように遮断装置３０に周方向に巻き付けられた場合においても、ヒータ線１２０が交差しない。具体的には、図８に示すように、遮断装置３０の外周面の一方側（下側）には、ヒータ線１２０が太破線にて示すように接触する。また、遮断装置３０の外周面の他方側（上側）には、ヒータ線１２０が細破線にて示すように接触する。
【００４７】
これによれば、巻付部１１１において、ヒータ線１２０同士がより確実に接触しない。よって、便座装置３に異常がない場合における遮断装置３０の作動を、より確実に抑制することができる。
【００４８】
＜第三実施形態＞
次に、本発明による第三実施形態に係る便座用の加熱装置１について、図９を用いて説明する。上述した第二実施形態の巻付部１１１に配置されたヒータ線１２０は、波状に配置されているが、これに対して、本第三実施形態の巻付部２１１に配置されたヒータ線２２０は、一の部位２２０ａが複数の波を有する波状に配置され、かつ、他の部位２２０ｂが一の部位２２０ａと互いに平行となるように配置されている。
【００４９】
具体的には、ヒータ線２２０の一の部位２２０ａおよびヒータ線２２０の他の部位２２０ｂが、互いに平行になるように、遮断装置３０の軸線３０ａの方向に対して垂直に振動し、かつ、複数の波を有する正弦曲線を形成するように、巻付部２１１に配置されている。また、ヒータ線２２０の一の部位２２０ａと、ヒータ線２２０の他の部位２２０ｂとの左右方向の距離は、遮断装置３０の外周面の周方向の長さより短くなるように設定されている。
【００５０】
これにより、巻付部２１１が遮断装置３０の外周面に沿うように遮断装置３０に周方向に巻き付けられた場合においても、ヒータ線２２０が交差しない。具体的には、遮断装置３０の外周面の一方側（下側）には、ヒータ線２２０が太破線にて示すように接触する。また、遮断装置３０の外周面の他方側（上側）には、ヒータ線２２０が細破線にて示すように接触する。
【００５１】
＜第四実施形態＞
次に、本発明による第四実施形態に係る便座用の加熱装置１について、図１０および図１１を用いて説明する。上述した第三実施形態において、遮断装置３０は、巻付部２１１に配置されているが、これに対して、本第四実施形態の遮断装置３０は、巻付部３１１より右方のシート部１０の部位に配置されている。
【００５２】
また、本第四実施形態においては、巻付部３１１の左端部の他方面１０ｂとシート部１０の他方面１０ｂとが接触するように、巻付部３１１が遮断装置３０の外周面に巻き付けられる。なお、このとき、巻付部３１１より右方のシート部１０の一部が遮断装置３０に巻き付けられる。また、本第四実施形態のヒータ線３２０は、巻付部３１１より右方のシート部１０の部位および巻付部３１１にかけて複数の波を有する波状に配置されている。
【００５３】
これにより、巻付部３１１が遮断装置３０の外周面に沿うように遮断装置３０に周方向に巻き付けられた場合においても、ヒータ線３２０が交差しない。具体的には、図１０に示すように、遮断装置３０の一方側（下側）およびシート部１０の他方面１０ｂには、ヒータ線３２０が太破線にて示すように遮断装置３０の外周面に接触する。また、遮断装置３０の他方側（上側）には、ヒータ線３２０が細破線にて示すように遮断装置３０の外周面に接触する。
【００５４】
＜第五実施形態＞
次に、本発明による第五実施形態に係る便座用の加熱装置１について、図１２を用いて説明する。上述した第四実施形態において、ヒータ線３２０は、巻付部３１１より右方のシート部１０の部位および巻付部３１１にかけて複数の波を有する波状に配置されている。これに対して、本第五実施形態のヒータ線４２０は、巻付部４１１において、ヒータ線４２０の一の部位４２０ａが、一つの波状に形成され、かつ、波の頂点４２０ａ１と両裾野４２０ａ２，４２０ａ３との間にて遮断装置３０の軸線３０ａの方向に沿って延びる直線部４２０ａ４が形成されている。
【００５５】
さらに、巻付部４１１より右方のシート部１０において、ヒータ線４２０の他の部位４２０ｂが、ヒータ線４２０の一の部位４２０ａと互いに平行となるように配置される。ヒータ線４２０の一の部位４２０ａと、ヒータ線４２０の他の部位４２０ｂとの左右方向の距離は、遮断装置３０の外周面の周方向の長さより短くなるように設定されている。
【００５６】
これにより、巻付部４１１が遮断装置３０の外周面に沿うように遮断装置３０に周方向に巻き付けられた場合においても、ヒータ線４２０が交差しない。具体的には、図１２に示すように、遮断装置３０の外周面の一方側（下側）には、ヒータ線４２０が太破線にて示すように接触する。また、遮断装置３０の外周面の他方側（上側）には、ヒータ線４２０が細破線にて示すように接触する。
【００５７】
＜第六実施形態＞
次に、本発明による第六実施形態に係る便座用の加熱装置１について、図１３を用いて説明する。上述した第一実施形態において、巻付部１１は、シート部１０の周縁部から舌状に突出するように設けられている。これに対して、本第六実施形態の巻付部５１１は、ヒータ線２０から離れた部位に空間部５１２が設けられている。
【００５８】
空間部５１２は、ヒータ線２０が発する熱がシート部１０に拡散されることを抑制するように形成されている。空間部５１２は、巻付部５１１の面積を少なくするように形成されている。空間部５１２は、面取り部５１２ａおよび穴部５１２ｂを備えている。面取り部５１２ａは、ヒータ線２０より左方において巻付部５１１の角部を面取りされた部位である。穴部５１２ｂヒータ線２０より右方において、上下方向に貫通する三角状の穴である。
【００５９】
これによれば、ヒータ線２０が発する熱は、巻付部５１１への拡散が抑制されることにより、遮断装置３０への伝達が効率よく行われる。このため、空間部５１２が設けられている場合、空間部５１２が設けられていない場合に比べて、巻付部５１１におけるヒータ線２０の密集の度合いを抑制することができる。よって、巻付部５１１の温度を抑制することができる。したがって、便座装置３に異常がない場合における遮断装置３０の作動を、さらに確実に抑制することができる。
【００６０】
なお、上述した実施形態において、便座用の加熱装置の一例を示したが、本発明はこれに限定されず、他の構成を採用することもできる。例えば、便座装置３を、洗浄水を噴出して人体の局部を洗浄する洗浄装置を本体部３ａの内部に備えた温水洗浄便座としても良い。
【００６１】
また、上述した実施形態において、巻付部１１，１１１，２１１，３１１，４１１，５１１は、遮断装置３０の外周面に一重に巻かれているが、これに代えて、遮断装置３０の外周面に、複数重ねて巻かれるようにしても良い。
【００６２】
また、上述した実施形態において、ヒータ線２０は、発熱部および絶縁被覆によって構成されているが、これに代えて、エナメル線をヒータ線２０として用いるようにしても良い。
【００６３】
また、本発明の要旨を逸脱しない範囲において、シート部１０の形状、ヒータ線２０の配置、巻付部１１，１１１，２１１，３１１，４１１，５１１の形状、大きさおよびシート部１０に対する位置、並びに、空間部５１２の形状、大きさ、巻付部５１１に対する位置、巻付部５１１に占める範囲および個数を変更しても良い。
【符号の説明】
【００６４】
１…加熱装置、２…便座、３…便座装置、１０…シート部、１０ａ…一方面、１０ｂ…他方面、１１…巻付部、２０…ヒータ線、３０…遮断装置、３０ａ…軸線、５１２…空間部、Ｐ１…第一位置、Ｐ２…第二位置、Ｐ３…第三位置、Ｓｃ…着座面、Ｓｕ…裏側面。
【図１】
2019088524.tif 000003
【図２】
2019088524.tif 000004
【図３】
2019088524.tif 000005
【図４】
2019088524.tif 000006
【図５】
2019088524.tif 000007
【図６】
2019088524.tif 000008
【図７】
2019088524.tif 000009
【図８】
2019088524.tif 000010
【図９】
2019088524.tif 000011
【図１０】
2019088524.tif 000012
【図１１】
2019088524.tif 000013
【図１２】
2019088524.tif 000014
【図１３】
2019088524.tif 000015